(57)【要約】【課題】光の取り出し効率を向上させる。【解決手段】表示装置（１）は、所定の遮光パターンを有するブラックマトリクス（９５）が基板（２）上に形成される反射型又は半透過型の液晶装置（１００）と、液晶装置に対向して設けられる照明装置（２００）であって、ブラックマトリクスに対向する位置に配置される複数の発光素子部（２３０）を備える照明装置（２００）とを備える。【選択図】図５
2010008843.tif 000002
【特許請求の範囲】
【請求項１】
所定の遮光パターンを有するブラックマトリクスが基板上に形成される反射型又は半透過型の液晶装置と、
前記液晶装置に対向して設けられる照明装置であって、前記ブラックマトリクスに対向する位置に配置される複数の発光素子部を備える照明装置と
を備えることを特徴とする表示装置。
【請求項２】
前記液晶装置は、前記ブラックマトリクスを含む複数の画素部を備えており、
２個以上の前記画素部毎に１つの前記発光素子部が配置されるように前記複数の発光素子部の夫々が配置されることを特徴とする請求項１に記載の表示装置。
【請求項３】
前記液晶装置は、前記ブラックマトリクスを含む複数の画素部を備えており、
６個以上の前記画素部毎に１つの前記発光素子部が配置されるように前記複数の発光素子部の夫々が配置されることを特徴とする請求項１に記載の表示装置。
【請求項４】
前記複数の発光素子部の夫々は、それぞれが配置される前記画素部の同じ位置に配置されることを特徴とする請求項２又は３に記載の表示装置。
【請求項５】
前記複数の画素部は、それぞれ所定の色を表示し、
前記複数の発光素子部の夫々は、同じ色を表示する前記画素部に配置されることを特徴とする請求項２又は３に記載の表示装置。
【請求項６】
請求項１から５のいずれか一項に記載の表示装置を備えることを特徴とする電子機器。
【発明の詳細な説明】
【技術分野】
【０００１】
本発明は、例えば液晶装置とフロントライト装置とを備える表示装置、及びこのような表示装置を備える電子機器の技術分野に関する。
【背景技術】
【０００２】
反射型液晶装置や半透過型液晶装置の中には、外光が不十分な環境下での使用のために、液晶パネルを前面から照らすフロントライト装置を備えるものがある。フロントライト装置として、液晶パネルの横に設置された光源からの光を液晶パネルの前面に配置された導光板を伝達させ、導光板に設けられた溝で屈折させて液晶パネルへ導くものがある。このフロントライト装置では、導光板へ導入された光は上記溝で液晶パネル側へ屈折すると共に逆方向（即ち、観察者側）にも屈折する場合があり、この場合には逆方向へ屈折した光は観察者の目に入り液晶装置のコントラストを低下させる可能性がある。
【０００３】
また、フロントライト装置として、有機エレクトロルミネッセンス（ＥＬ）素子を備えるものがある（例えば、特許文献１及び２参照）。このフロントライト装置は、液晶パネルの前面に対向配置され、上記有機ＥＬ素子は例えば格子状に発光するように陰極等がパターニングされる。
【０００４】
【特許文献１】特開２００６−１５４４０２号公報
【特許文献２】特開２０００−２６７０９７号公報
【発明の開示】
【発明が解決しようとする課題】
【０００５】
フロントライト装置において、発光部分及び配線部分は、一般的に液晶パネルからの反射光を遮光するので、フロントライト装置を通して取り出される反射光の強度を低下させる。また、仮に透光性を有する材料を用いて発光部分及び配線部分を構成したとしても、フロントライト装置である以上、光を観察者側に出射させないための遮光層ないしは反射層を設ける必要があるため、フロントライト装置を通して取り出される反射光の強度を低下させることに変わりはない。つまり、発光部分は液晶パネルからの光の取り出し効率を低下させる要因の一つとして考えられる。
【０００６】
本発明は、例えば上述した従来の問題点に鑑みなされたものであり、例えば光の取り出し効率の向上が可能な表示装置及びこのような表示装置を備える電子機器を提供することを課題とする。
【課題を解決するための手段】
【０００７】
（表示装置）
本発明の表示装置は、所定の遮光パターンを有するブラックマトリクスが基板上に形成される反射型又は半透過型の液晶装置と、前記液晶装置に対向して設けられる照明装置であって、前記ブラックマトリクスに対向する位置に配置される複数の発光素子部を備える照明装置とを備える。
【０００８】
本発明の表示装置によれば、照明装置が備える発光素子部から照射された光が液晶装置に入射し且つ該入射した光が液晶装置内で反射して観察者に到達することで、所定の画像ないしは映像を観察者に対して視認させることができる。
【０００９】
本発明では特に、照明装置が備える発光素子部は、液晶装置が備える遮光層としてのブラックマトリクスが形成される位置に対応するように（言い換えれば、対向するように）配置される。より具体的には、照明装置が備える発光素子部は、観察者の側から見て発光素子部とブラックマトリクスとが重なるような位置に配置される。
【００１０】
ここで、照明装置が備える複数の発光素子部は、液晶装置側へ効率的に光を照射するために（言い換えれば、液晶装置とは反対側の観察者側に光が照射されないために）、液晶装置とは反対側（つまり、観察者側）に遮光層ないしは反射層を備えていることが多い。この場合、発光素子部が備える遮光層ないしは反射層によって液晶装置からの反射光が遮光ないしは反射してしまうことにより、表示装置からの光の取り出し効率が悪化してしまいかねない。しかるに、本発明では、液晶装置の遮光層としてのブラックマトリクスに対向する位置に発光素子部が配置されるため、発光素子部が備える遮光層ないしは反射層によって反射光が遮光ないしは反射されたとしても、表示装置からの光の取り出し効率に大きな影響を与えることはなくなる。言い換えれば、発光素子部が備える遮光層ないしは反射層によって遮光ないしは反射されてしまう液晶装置からの反射光は、そもそもブラックマトリクスによって遮光されるため、表示装置からの光の取り出し効率に大きな影響を与えることはなくなる。このため、ブラックマトリクスに対向する位置以外の位置（例えば、画素部の位置）に発光素子部が配置される構成と比較して、表示装置からの光の取り出し効率に大きな影響を与えることはなくなる。従って、相対的には光の取り出し効率を向上させることができる。
【００１１】
本発明の表示装置の一の態様は、前記液晶装置は、前記ブラックマトリクスを含む複数の画素部を備えており、２個以上の前記画素部毎に１つの前記発光素子部が配置されるように前記複数の発光素子部の夫々が配置される。
【００１２】
この態様によれば、１個の画素部に１つの発光素子部が配置される構成と比較して、照明装置全体としての発光素子部の数を相対的に減少させることができる。このため、１個の画素部に１つの発光素子部が配置される構成と比較して、発光素子部が表示装置全体としての光の取り出し効率に対して大きな影響を与えることはなくなる。このため、光の取り出し効率をより一層向上させることができる。
【００１３】
本発明の表示装置の他の態様は、前記液晶装置は、前記ブラックマトリクスを含む複数の画素部を備えており、６個の前記画素部毎に１つの前記発光素子部が配置されるように前記複数の発光素子部の夫々が配置される。
【００１４】
この態様によれば、１個の画素部に１つの発光素子部が配置される構成と比較して、照明装置全体としての発光素子部の数を相対的に減少させることができる。このため、１個の画素部に１つの発光素子部が配置される構成と比較して、発光素子部が表示装置全体としての光の取り出し効率に対して大きな影響を与えることはなくなる。このため、光の取り出し効率をより一層向上させることができる。
【００１５】
本発明の表示装置の他の態様は、前記複数の発光素子部の夫々は、それぞれが配置される前記画素部の同じ位置に配置される。
【００１６】
この態様によれば、画素部に対する相対的な位置関係が同一となるように複数の発光素子部を配置することができる。
【００１７】
本発明の表示装置の他の態様は、前記複数の画素部は、それぞれ所定の色を表示し、前記複数の発光素子部の夫々は、同じ色を表示する前記画素部に配置される。
【００１８】
この態様によれば、同一の色を表示する画素部に対応するように複数の発光素子部を配置することができる。
【００１９】
（電子機器）
上記課題を解決するために、本発明の電子機器は、上述した本発明の表示装置（但し、その各種態様を含む）を備える。
【００２０】
本発明の電子機器によれば、上述した本発明の表示装置（或いは、その各種態様）備えているため、上述した本発明の表示装置が享受する各種効果と同様の効果を享受することができる。つまり、上述した本発明の表示装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００２１】
本発明の作用及び他の利得は次に説明する実施の形態から更に明らかにされよう。
【発明を実施するための最良の形態】
【００２２】
以下、本発明を実施するための最良の形態を、図面に基づいて説明する。
【００２３】
（１）表示装置の構成
はじめに、図１を参照して、本実施形態に係る表示装置１の基本構成について説明する。ここに、図１は、本実施形態に係る表示装置１の構成を模式的に示す断面図である。
【００２４】
図１に示すように、本実施形態に係る表示装置１は、反射型又は半透過型の液晶パネル１００と、当該液晶パネル１００に対向して設けられた照明パネル２００とを備えている。照明パネル２００は、液晶パネル１００の観察者側に配置され、液晶パネル１００のフロントライト装置として用いられる。液晶パネル２００の詳細な構成は後述するが、各種の反射型又は半透過型の液晶パネルを適用することができる。例えば、液晶パネル１００は、照明パネル２００側に不図示の偏光板を備えていてもよい。
【００２５】
（２）液晶パネルの構成
続いて、図２及び図３を参照して、本実施形態に係る液晶パネル１００の構成について説明する。
【００２６】
図２は、本実施形態に係る液晶パネル１００の概略構成を模式的に示す平面図である。図２では、紙面手前側（観察側）にカラーフィルタ基板９２が、また、紙面奥側に素子基板９１が夫々配置されている。なお、図２では、紙面縦方向（列方向）をＹ方向と規定し、また、紙面横方向（行方向）をＸ方向と規定する。また、図２において、Ｒ（赤）、Ｇ（緑）、Ｂ（青）に対応する各領域は１つのサブ画素ＳＧを示していると共に、ＲＧＢに対応する１行３列のサブ画素ＳＧは、１つの表示画素ＡＧ（つまり、１ドット）を示している。
【００２７】
図３は、液晶パネル１００における切断線Ａ−Ａ´に沿った１つの表示画素ＡＧの拡大断面図である。図３に示すように、液晶パネル１００は、素子基板９１と、その素子基板９１に対向して配置されるカラーフィルタ基板９２とが枠状のシール材５を介して貼り合わされ、そのシール材５の内側に液晶が封入されて液晶層４が形成されてなる。
【００２８】
本実施形態に係る液晶パネル１００は、ＲＧＢの３色を用いて構成されるカラー表示用の液晶パネルであると共に、スイッチング素子として例えばＴＦＴ（Thin Film Transistor）素子を用いたアクティブマトリクス駆動方式の液晶パネルである。但し、本実施形態に係る液晶パネル１００は、ＲＧＢの３色に加えてＷ（白又は透明）のサブ画素ＳＧを用いて構成されるカラー表示用の液晶パネルであってもよい。
【００２９】
素子基板９１の平面構成について説明する。素子基板９１の内面上には、主として、複数のデータ線（或いは、ソース線）３２、複数のゲート線３３、複数のＴＦＴ素子３７、複数の画素電極３４、ドライバＩＣ４０、外部接続用配線３５及びＦＰＣ（Flexible Printed Circuit）４１などが形成若しくは実装されている。
【００３０】
図２に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各データ線３２は、Ｙ方向に延在するように且つＸ方向に適宜の間隔をおいて形成されており、各データ線３２の一端側は、ドライバＩＣ４０の出力側の端子（図示略）に電気的に接続されている。
【００３１】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各データ線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各データ線３２と各ゲート線３３の第２配線３３ｂの交差に対応する位置にはＴＦＴ素子３７が設けられており、各ＴＦＴ素子３７は各データ線３２、各ゲート線３３及び各画素電極３４等に電気的に接続されている。
【００３２】
各ＴＦＴ素子３７及び各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。なお、ここで、スイッチング素子としては、アモルファスＴＦＴ素子を用いてもよいし、ポリシリコンＴＦＴを用いてもよいし、或いはＴＦＤ（Thin Film Diode）素子を用いてもよい。
【００３３】
また、本実施形態に係る液晶パネル１００が反射型又は半透過型の液晶パネルであるため、サブ画素ＳＧ毎の画素電極３４上の一部の領域又は全ての領域に光を反射する反射層が設けられる。或いは、サブ画素ＳＧ毎の画素電極３４の一部又は全てが、ＩＴＯなどの透明導電材料に代えて金属材料により形成される。
【００３４】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。つまり、この有効表示領域Ｖが、液晶装置１００における表示画面の領域を示している。なお、有効表示領域Ｖの外側の領域は表示に寄与しない額縁領域３８となっている。また、各データ線３２、各ゲート線３３、各ＴＦＴ素子３７、及び各画素電極３４等の内面上には、図示しない配向膜が形成されている。
【００３５】
また、本実施形態では、走査線における奇数ライン（具体的には、第１行目、第３行目、・・・）におけるサブ画素ＳＧの配列と、走査線における偶数ライン（具体的には、第２行目、第４行目、・・・）におけるサブ画素ＳＧの配列とが、画素ＡＧの単位で半ピッチ（言い換えれば、半周期）ずれている。具体的には、奇数ラインにおいては、有効表示領域Ｖの左端から、赤色（Ｒ）を表示するためのサブ画素ＳＧ、緑色（Ｇ）を表示するためのサブ画素ＳＧ及び青色（Ｂ）を表示するためのサブ画素ＳＧの順にサブ画素ＳＧが配置されている一方で、偶数ラインにおいては、有効表示領域Ｖの左端から、青色（Ｂ）を表示するためのサブ画素ＳＧ、赤色（Ｒ）を表示するためのサブ画素ＳＧ及び緑色（Ｇ）を表示するためのサブ画素ＳＧの順にサブ画素ＳＧが配置されている。但し、全ての走査線におけるにおけるサブ画素ＳＧの配列が同一となるように構成してもよい。
【００３６】
次に、カラーフィルタ基板９２の平面構成について説明する。図３に示すように、カラーフィルタ基板９２は、ガラスなどの基板２上に、遮光層（一般に「ブラックマトリクス」と呼ばれ、以下では、単に「ＢＭ」と略記する）９５、Ｒ、Ｇ、Ｂの着色層６Ｒ、６Ｇ、６Ｂ及び共通電極８などを有する。ＢＭ９５は、各サブ画素ＳＧを区画する位置に形成されている。ここでは、各色のサブ画素ＳＧについて、対応する色をカッコ付きで示している。
【００３７】
なお、以下の説明もしくは図面において、ＲＧＢの色を特定することなく構成要素を示す場合には、単に「着色層６」のように記し、ＲＧＢの色を区別して構成要素を示す場合には、例えば「着色層６Ｒ」のように記すこととする。
【００３８】
この着色層６Ｒ、６Ｇ、６Ｂがカラーフィルタを構成する。共通電極８は、画素電極３４と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００３９】
液晶パネル１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（但し、ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じた画像信号を、それぞれ対応するＳ１、Ｓ２、・・・、Ｓｎ−１、Ｓｎ（ｎは自然数）のデータ線３２及びＴＦＴ素子３７を介して供給する。その結果、液晶層４の配向状態が制御され、液晶パネル１００の表示状態が、非表示状態または中間表示状態に切り替えられることとなる。
【００４０】
尚、上述した液晶パネル１００の構成は一具体例であり、その他の構成を有する液晶パネル１００を採用してもよいことは言うまでもない。
【００４１】
（３）照明パネルの構成
続いて、図４を参照して、本実施形態に係る照明パネル２００の構成について説明する。ここに、図４は、本実施形態に係る照明パネル２００の構成を概略的に示す断面図及び平面図である。
【００４２】
図４（ａ）に示すように、照明パネル２００は、対向する一対の透光性基板２１０及び２２０を備えている。一対の透光性基板２１０及び２２０の間には、複数の発光素子部２３０と、第１配線２４０と、第２配線２６０と、透光性層２５０と、シール２７０とが形成されている。また、本実施形態では、複数の発光素子部２３０の夫々が有機エレクトロルミネッセンス（ＥＬ）素子から構成される例について説明する。複数の発光素子部２３０の夫々は、遮光層２３１と、陽極（言い換えれば、アノード）２３２と、発光層２３３と、陰極（言い換えれば、カソード）２３４とを備えている。
【００４３】
尚、照明パネル２００では、発光素子部２３０での発光Ｌは、当該発光素子部２３０が配置された透光性基板２１０に対向する透光性基板２２０を介して液晶パネル１００へ照射される。つまり、本実施形態に係る照明パネル２００は、いわゆるトップエミッション型の構成を採用している。但し、トップエミッション型の構成に限らず、他の構成（例えば、ボトムエミッション型の構成）を採用してもよいことは言うまでもない。
【００４４】
照明パネル２００では、複数の発光素子部２３０が分散して配置されている。尚、本実施形態では、複数の発光素子部２３０がマトリクス状に分散して配置される例を示しているが、複数の発光素子部がマトリクス状に分散して配置されていなくともよく、他の態様で分散して配置されていてもよい。複数の発光素子部２３０の夫々には、第１配線２４０及び第２配線２６０を介して電力が供給される。
【００４５】
透光性基板２１０及び２２０の夫々は、例えば透明なガラス板を含んでいる。ここでは、透光性基板２１０が観察者の側に位置し且つ透光性基板２２０が液晶パネル１００の側に位置する例を示している。
【００４６】
図４（ｂ）に示すように、第１配線２４０は、透光性を有した配線であって、例えばＩＴＯ（Indium Tin Oxide）やＩＺＯ（Indium Zinc Oxide）等の透明導電材料を含んでいる。第１配線２４０は、例えば透光性基板２１０上に配置されている。また、本実施形態では、第１配線２４０が、１本の幹部２４１と、当該幹部２４１から同じ側へ分岐し且つ平行に延在する複数の枝部２４２とを有する例について示している。但し、第１配線２４０の構成が図４（ｂ）に示す構成に限定されることはなく、任意の構成を採用してもよい。
【００４７】
また、図４（ｂ）に示すように、第２配線２６０は、透光性を有した配線であって、例えばＩＴＯ（Indium Tin Oxide）やＩＺＯ（Indium Zinc Oxide）等の透明導電材料を含んでいる。また、本実施形態では、第２配線２６０が、１本の幹部２６１と、当該幹部２６１から同じ側へ分岐し且つ平行に延在する複数の枝部２６２とを有する例について示している。但し、第２配線２６０の構成が図４（ｂ）に示す構成に限定されることはなく、任意の構成を採用してもよい。
【００４８】
第１配線２４０の枝部２４２と第２配線２６０の枝部２６２との交点には、発光素子部２３０が設けられている。
【００４９】
遮光層２３１は、陽極２３２と第１配線２４０の枝部２４２との間に配置され、発光層２３３に対して陰極２３４とは反対側に配置されている。遮光層２３１は、発光層２３３での発光Ｌが透光性基板２１０側（即ち、観察者側）へ出射されるのを防止する。遮光層２３１は、例えばアルミニウム（Ａｌ）、クロム（Ｃｒ）、ニッケル（Ｎｉ）、モリブデン（Ｍｏ）、金（Ａｕ）、銀（Ａｇ）、酸化クロム等の金属材料等を含んでいる。遮光層２３１は、発光Ｌに対する反射率が高い材料で構成されるのがより好ましく、その場合には、上記の遮光機能のみならず、発光Ｌを反射して透光性基板２２０側（即ち、液晶パネル１００側）へ出射する光の強度（或いは、光量）を相対的に大きくすることができる。上に示した各種材料によれば、遮光機能と反射機能との双方を実現することができる。遮光層２３１は導電性を有しており、陽極２３２と第１配線２４０の枝部２４２とを電気的に接続している。
【００５０】
陽極２３２は、発光層２３３と遮光層２３１との間に配置され、第１配線２４０の枝部２４２を介して供給される電力を発光層２３３に対して供給する。陽極２３２は、例えば、透光性を有した配線であって、例えばＩＴＯ（Indium Tin Oxide）やＩＺＯ（Indium Zinc Oxide）等の透明導電材料を含んでいる。但し、例えばマグネシウム−銀合金（Ｍｇ−Ａｇ合金）、リチウム−アルミニウム合金（Ｌｉ−Ａｌ合金）、マグネシウム−インジウム合金（Ｍｇ−Ｉｎ合金）、アルミニウム（Ａｌ）、金（Ａｕ）、銀（Ａｇ）等の金属材料を含んでいてもよい。陽極２３２がこのような金属材料を含む場合には、陽極２３２の膜厚を調整することで、陽極２３２に透光性を備えさせることが好ましい。
【００５１】
発光層２３３は、陽極２３２及び陰極２３４を介して供給される電力に応じて発光する素子であり、例えば、不図示の正孔輸送層と有機発光層と電子輸送層とを備えている。
【００５２】
陰極２３４は、発光層２３３と第２配線２６０の枝部２６２との間に配置され、第２配線２６０の枝部２６２を介して供給される電力を発光層２３３に対して供給する。陰極２３４は、例えば、透光性を有した配線であって、例えばＩＴＯ（Indium Tin Oxide）やＩＺＯ（Indium Zinc Oxide）等の透明導電材料を含んでいることが好ましい。但し、例えばマグネシウム−銀合金（Ｍｇ−Ａｇ合金）、リチウム−アルミニウム合金（Ｌｉ−Ａｌ合金）、マグネシウム−インジウム合金（Ｍｇ−Ｉｎ合金）、アルミニウム（Ａｌ）、金（Ａｕ）、銀（Ａｇ）等の金属材料を含んでいてもよい。陰極２３４がこのような金属材料を含む場合には、陰極２３４の膜厚を調整することで、陰極２３４に透光性を備えさせることが好ましい。
【００５３】
透光性基板２１０上には、透光性層２５０の一部を構成する絶縁層２５１が配置されている。絶縁層２５１は、第１配線２４０を覆って透光性基板２１０上に配置されると共に透光性基板２１０に接している。また、透光性基板２２０上には、透光性層２５０の他の一部を構成する絶縁層２５２が配置されている。これらの絶縁層２５１及び２５２により、第１配線２４０の枝部２４２と第２配線２６０の枝部２６２との間の絶縁（或いは、その他の短絡させるべきでない箇所の絶縁）が維持される。尚、絶縁層２５１及び２５２の夫々は、透光性基板２１０及び２２０の夫々と略等しい屈折率を有する材料で構成されることが好ましく、例えば酸化シリコン等の材料で構成される。
【００５４】
シール２７０は、透光性基板２１０及び２２０の周縁に沿って配置され、透光性基板２１０及び２２０の夫々を接着して互いに固着させている。
【００５５】
尚、上述した照明パネル２００の構成は一具体例であり、その他の構成を有する照明パネル２００を採用してもよいことは言うまでもない。
【００５６】
（４）照明装置の配置の具体的態様
続いて、図５を参照して、本実施形態に係る照明パネル２００が備える発光素子部２３０と液晶パネル１００との間の位置関係について説明する。ここに、図５は、本実施形態に係る照明パネル２００が備える発光素子部２３０と液晶パネル１００との間の位置関係を示す平面図である。
【００５７】
図５（ａ）及び図５（ｂ）に示すように、本実施形態では、複数の発光素子部２３０の夫々は、液晶パネル１００が備えるＢＭ９５に対向する位置に配置される。言い換えれば、複数の発光素子部２３０の夫々は、観察者の側から見て（或いは、発光素子部２３０の発光Ｌの出射方向に対して）発光素子部２３０（或いは、発光素子部２３０の一部）とＢＭ９５（或いは、ＢＭ９５の一部）とが重なるような位置に配置される。
【００５８】
例えば、図５（ａ）に示すように、複数の発光素子部２３０の夫々は、データ線３４が延在する方向（つまり、Ｙ方向）に沿って設けられるＢＭ９５に対向する位置に配置されてもよい。或いは、図５（ｂ）に示すように、複数の発光素子部２３０の夫々は、ゲート線３３（特に、ゲート線３３のうちの第２配線３３ｂ）が延在する方向（つまり、Ｘ方向）に沿って設けられるＢＭ９５に対向する位置に配置されてもよい。
【００５９】
このとき、複数の発光素子部２３０の夫々は、サブ画素ＳＧに対する相対的な位置関係が同一となるように配置されてもよい。具体的には、例えば、図５（ａ）に示す例では、複数の発光素子部２３０の夫々は、緑色を表示するためのサブ画素ＳＧ（Ｇ）と青色を表示するためのサブ画素ＳＧ（Ｂ）との間のＢＭ９５上に配置されている。
【００６０】
ここで、照明パネル２００が備える複数の発光素子部２３０の夫々は、上述したように遮光層２３１を備えている。この場合、液晶パネル１００からの反射光（つまり、照明パネル２００からの発光Ｌの液晶パネル１００における反射光）が遮光層２３１で遮光ないしは反射してしまいかねない。従って、遮光層２３１によって遮光ないしは反射される分だけ、表示装置１からの光の取り出し効率が悪化してしまいかねない。しかるに、本実施形態では、遮光層として機能するＢＭ９５に対向する位置に複数の発光素子部２３０の夫々が配置される。このため、液晶パネル１００からの反射光が複数の発光素子部２３０の夫々（特に、そのうちの遮光層２３１）によって遮光ないしは反射されたとしても、表示装置１からの光の取り出し効率に大きな影響を与えることはなくなる。つまり、複数の発光素子部２３０の夫々（特に、そのうちの遮光層２３１）によって遮光ないしは反射されてしまう液晶パネル１００からの反射光は、そもそもＢＭ９５によって遮光されるため、複数の発光素子部２３０の夫々が遮光層２３１を備えているか否かに関わらず観察者に到達することはない。このため、本実施形態に係る表示装置１によれば、ＢＭ９５に対向する位置以外の位置（例えば、画素部の位置）に複数の発光素子部２３０の夫々が配置される構成と比較して、液晶パネル１００からの光の取り出し効率に大きな影響を与えることはなくなる。従って、相対的には表示装置１からの光の取り出し効率を向上させることができる。
【００６１】
このとき、より好ましくは、複数の発光素子部２３０の夫々は、複数個のサブ画素ＳＧに対して１つの発光素子部２３０が対応するように配置されることが好ましい。例えば、複数の発光素子部２３０の夫々は、ｎ（但し、ｎは２以上の整数であり、好ましくは２≦ｎ≦２４を満たす整数であり、より好ましくは６≦ｎ≦２４を満たす整数）個のサブ画素ＳＧに対して１つの発光素子部２３０が対応するように配置されることが好ましい。これにより、１つのサブ画素ＳＧに対して１つの発光素子部２３０が対応するように複数の発光素子部２３０を配置する必要がなくなるため、照明パネル２００の構成を簡略化することができる。特に、近年液晶パネル１００の微細化が顕著に進んでいることを考慮すれば、照明パネル２００も合わせて微細化を進めなければならないところ、照明パネル２００の微細化を必ずしも行わなくことなく上述した表示装置を実現することができる。加えて、液晶パネル１００からの反射光を遮光ないしは反射する発光素子部２３０の配置密度（或いは、配置数）を小さくすることができるため、液晶パネル１００からの反射光が遮光ないしは反射される確率が小さくなる。このため、表示装置１からの光の取り出し効率をよりいっそう向上させることができる。
【００６２】
尚、上述した説明では、ＢＭ９５に対向する位置に発光素子部２３０を配置する例について説明している。しかしながら、ＢＭ９５に対向する位置に限らず、反射光を遮光ないしは反射する液晶パネル１００上の構成（例えば、ＴＦＴ素子３７等）に対向する位置に複数の発光素子部２３０の夫々を配置するように構成してもよい。このように構成しても、上述した各種効果を相応に享受することができる。
【００６３】
また、反射光を遮光ないしは反射する液晶パネル１００上の構成（例えば、上述したＢＭ９５やＴＦＴ素子３７等）に対向する位置に複数の発光素子部２３０の夫々を配置しなくとも、任意の位置に複数の発光素子部２３０の夫々を配置するように構成してもよい。この構成の一例について、図６を参照して説明する。ここに、図６は、本実施形態に係る照明パネルが備える発光素子部２３０と液晶パネル１００との間の他の位置関係を示す平面図である。
【００６４】
図６に示すように、反射光を遮光ないしは反射する液晶パネル１００上の構成（例えば、上述したＢＭ９５やＴＦＴ素子３７等）以外の構成（例えば、図６ではサブ画素ＳＧ）に対向する位置に複数の発光素子部２３０の夫々を配置してもよい。
【００６５】
この場合、より好ましくは、複数の発光素子部２３０の夫々は、複数個のサブ画素ＳＧに対して１つの発光素子部２３０が対応するように配置されることが好ましい。例えば、複数の発光素子部２３０の夫々は、ｎ（但し、ｎは２以上の整数であり、好ましくは２≦ｎ≦２４を満たす整数であり、より好ましくは６≦ｎ≦２４を満たす整数）個のサブ画素ＳＧに対して１つの発光素子部２３０が対応するように配置されることが好ましい。
【００６６】
これにより、１個のサブ画素ＳＧに対して１つの発光素子部２３０が対応するように複数の発光素子部２３０が配置される構成と比較して、液晶パネル１００からの反射光を遮光ないしは反射する発光素子部２３０の配置密度（或いは、配置数）を小さくすることができる。このため、反射光を遮光ないしは反射する液晶パネル１００上の構成以外の構成に対向する位置に複数の発光素子部２３０の夫々を配置したとしても、表示装置１からの光の取り出し効率をより相応に向上させることができる。
【００６７】
尚、複数の発光素子部２３０の夫々は、同一の色を表示するサブ画素ＳＧに対向する位置に配置されてもよい。例えば、図６に示す例では、複数の発光素子部２３０の夫々は、青色を表示するサブ画素ＳＧ（Ｂ）に対向する位置に配置されている。もちろん、他の色を表示するサブ画素ＳＧに対向する位置に配置されてもよい。加えて、複数の発光素子部２３０の夫々は、サブ画素ＳＧ（Ｂ）中の同一位置（例えば、図６では、サブ画素ＳＧ（Ｇ）の相対的に下側）に対向する位置に配置されてもよい。
【００６８】
（６）電子機器
続いて、図７及び図８を参照しながら、上述の表示装置１を具備してなる電子機器の例を説明する。
【００６９】
図７は、上述した表示装置１が適用されたモバイル型のパーソナルコンピュータの斜視図である。図７において、コンピュータ１２００は、キーボード１２０２を備えた本体部１２０４と、上述した表示装置１を含んでなる液晶表示ユニット１２０６とから構成されている。
【００７０】
次に、上述した表示装置１を携帯電話に適用した例について説明する。図８は、電子機器の一例である携帯電話の斜視図である。図８において、携帯電話１３００は、複数の操作ボタン１３０２とともに、上述した表示装置１を備えている。
【００７１】
これらの電子機器においても、上述した表示装置１を含んでいるため、上述した各種効果を好適に享受することができる。
【００７２】
尚、図７及び図８を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【００７３】
本発明は、上述した実施例に限られるものではなく、請求の範囲及び明細書全体から読み取れる発明の要旨或いは思想に反しない範囲で適宜変更可能であり、そのような変更を伴なう表示装置及び電子機器もまた本発明の技術的範囲に含まれるものである。
【図面の簡単な説明】
【００７４】
【図１】本実施形態に係る表示装置の概略構成を模式的に示す平面図である。
【図２】本実施形態に係る液晶パネルの概略構成を模式的に示す平面図である。
【図３】液晶パネルにおける切断線Ａ−Ａ´に沿った１つの表示画素の拡大断面図である。
【図４】本実施形態に係る照明パネルの概略構成を模式的に示す断面図である。
【図５】本実施形態に係る照明パネルが備える発光素子部と液晶パネルとの間の位置関係を示す平面図である。
【図６】本実施形態に係る照明パネルが備える発光素子部と液晶パネルとの間の他の位置関係を示す平面図である。
【図７】表示装置が適用されたモバイル型のパーソナルコンピュータの斜視図である。
【図８】表示装置が適用された携帯電話の斜視図である。
【符号の説明】
【００７５】
１…表示装置、９５…ブラックマトリクス（ＢＭ）、１００…液晶パネル、２００…照明パネル、２３０…発光素子部
【図１】
2010008843.tif 000003
【図２】
2010008843.tif 000004
【図３】
2010008843.tif 000005
【図４】
2010008843.tif 000006
【図５】
2010008843.tif 000007
【図６】
2010008843.tif 000008
【図７】
2010008843.tif 000009
【図８】
2010008843.tif 000010